(57)【要約】【課題】２色分版の際のユーザの操作負担を軽減する。【解決手段】画像読取部１１により色設定原稿が読み込まれることにより生成された色設定原稿画像データの色毎の画素値に基づいて基準色を決定する基準色決定部６２と、画像読取部１１により本原稿が読み込まれることにより生成された本原稿画像データを基準色決定部６２により決定された基準色とその他の色とに分版して分版画像データを生成する分版部６５と、分版部６５により生成された分版画像データに基づいて、基準色を第１印刷色として第１印刷部４で印刷させると共に、基準色以外の色を第２印刷色として第２印刷部７で印刷させる印刷制御部６６とを備える。【選択図】図２
2019214156.tif 000002
【特許請求の範囲】
【請求項１】
入力された原稿から原稿画像データを生成する画像生成部と、
色設定原稿が入力されることにより生成された色設定原稿画像データに基づいて基準色を決定する基準色決定手段と、
本原稿が入力されることにより生成された本原稿画像データを前記基準色決定手段により決定された基準色とその他の色とに分版して分版画像データを生成する分版手段と、
を備えたことを特徴とする２色分版装置。
【請求項２】
前記基準色決定手段は、
前記色設定原稿画像データにおける色成分毎の画素値の合計が高い順に前記色成分を並び替え、
本原稿が入力されることにより生成された本原稿画像データを、前記並び替えられた順位に基づいて前記色成分のいずれかを前記基準色として分版して印刷した場合におけるプレビュー画像を生成して表示手段に表示させ、前記プレビュー画像に対する入力指示に基づいて前記基準色を決定する
ことを特徴とする請求項１記載の２色分版装置。
【請求項３】
第１印刷色で印刷する第１印刷部と、
第２印刷色で印刷する第２印刷部と、
原稿を読み込み、原稿画像データを生成する画像読取部と、
前記画像読取部により色設定原稿が読み込まれることにより生成された色設定原稿画像データに基づいて基準色を決定する基準色決定手段と、
前記画像読取部により本原稿が読み込まれることにより生成された本原稿画像データを前記基準色決定手段により決定された基準色とその他の色とに分版して分版画像データを生成する分版手段と、
前記分版手段により生成された分版画像データに基づいて、前記基準色を前記第１印刷色として前記第１印刷部で印刷させると共に、前記基準色以外の色を前記第２印刷色として前記第２印刷部で印刷させる印刷制御手段と、
を備えたことを特徴とする２色印刷装置。
【請求項４】
前記第１印刷色および前記第２印刷色を検出する色検出手段と、
前記基準色決定手段により決定された基準色が前記色検出手段により検出された前記第１印刷色または前記第２印刷色に含まれるか否かを判定する判定手段と、を備え、
前記分版手段は、
前記判定手段により前記第１印刷色または前記第２印刷色に含まれると判定された場合に、前記本原稿画像データを前記基準色とその他の色とに分版して分版画像データを生成する
ことを特徴とする請求項３記載の２色印刷装置。
【発明の詳細な説明】
【技術分野】
【０００１】
本発明は、画像データを分版処理して２色印刷を行う２色印刷装置に関する。
【背景技術】
【０００２】
２色印刷装置として、例えば、使用するインク色の異なる２つのドラムを有し、２色印刷を行う孔版印刷装置が知られている。
【０００３】
このような孔版印刷装置を用いて多色のカラー原稿に基づいて印刷する場合、多色の原稿画像データを、２色のドラムで印刷できるように２色の画像データ（分版画像データ）に分版（２色分版）する必要がある。
【０００４】
特許文献１には、画像に使用されている色を一又は二以上検出し、この検出した色の中から印刷に用いる色を選択する画像形成装置に関する技術が開示されている。
【先行技術文献】
【特許文献】
【０００５】
【特許文献１】特開２００９−１９８７９２号公報
【発明の概要】
【発明が解決しようとする課題】
【０００６】
特許文献１の技術では、検出した色の中から印刷に用いる色を選択するが、必ずしも検出した色がドラムの色に一致するとは限らない。その場合、ユーザの入力に基づいて印刷に用いる色を選択することになる。
【０００７】
そのため、ユーザは、多色のカラー原稿のどの色を２色印刷装置のどの色に割り当てて印刷するかを指定する必要がある。この色割り当て操作を行うためには、印刷の仕上がり状態をイメージしながら色指定を行う必要があるのでユーザにとって非常に煩わしい操作であった。
【０００８】
本発明は前記事情に鑑みなされたものであり、本発明の目的は、２色分版の際のユーザの操作負担を軽減する２色分版装置および２色印刷装置を提供することにある。
【課題を解決するための手段】
【０００９】
上記目的を達成するため、本発明に係る２色分版装置の特徴は、
入力された原稿から原稿画像データを生成する画像生成部と、
色設定原稿が入力されることにより生成された色設定原稿画像データに基づいて基準色を決定する基準色決定手段と、
本原稿が入力されることにより生成された本原稿画像データを前記基準色決定手段により決定された基準色とその他の色とに分版して分版画像データを生成する分版手段と、
を備えたことにある。
【００１０】
上記目的を達成するため、本発明に係る２色印刷装置の特徴は、
第１印刷色で印刷する第１印刷部と、
第２印刷色で印刷する第２印刷部と、
原稿を読み込み、原稿画像データを生成する画像読取部と、
前記画像読取部により色設定原稿が読み込まれることにより生成された色設定原稿画像データに基づいて基準色を決定する基準色決定手段と、
前記画像読取部により本原稿が読み込まれることにより生成された本原稿画像データを前記基準色決定手段により決定された基準色とその他の色とに分版して分版画像データを生成する分版手段と、
前記分版手段により生成された分版画像データに基づいて、前記基準色を前記第１印刷色として前記第１印刷部で印刷させると共に、前記基準色以外の色を前記第２印刷色として前記第２印刷部で印刷させる印刷制御手段と、
を備えたことにある。
【発明の効果】
【００１１】
本発明に係る２色分版装置および２色印刷装置の特徴によれば、２色分版の際のユーザの操作負担を軽減することができる。
【図面の簡単な説明】
【００１２】
【図１】本発明の第１実施形態に係る印刷装置の概略構成図である。
【図２】図１に示す印刷装置の制御ブロック図である。
【図３】（ａ）は、本発明の第１実施形態に係る印刷装置における本原稿画像の一例を示した図であり、（ｂ）〜（ｃ）は、色設定原稿画像と印刷画像との関係の例を示した図である。
【図４】（ａ）〜（ｃ）は、色設定原稿画像と印刷画像との関係の例を示した図である。
【図５】本発明の第１実施形態に係る印刷装置の処理内容を示したフローチャートである。
【図６】本発明の第２実施形態に係る印刷装置の処理内容を示したフローチャートである。
【発明を実施するための形態】
【００１３】
以下、本発明の実施の形態について、図面を参照して説明する。各図面を通じて同一若しくは同等の部位や構成要素には、同一若しくは同等の符号を付している。ただし、図面は模式的なものであり、現実のものとは異なることに留意すべきである。また、図面相互間においても互いの寸法の関係や比率が異なる部分が含まれている。
【００１４】
また、以下に示す実施の形態は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００１５】
＜第１実施形態＞
図１は、本発明の第１実施形態に係る印刷装置の概略構成図である。図２は、図１に示す印刷装置の制御ブロック図である。ここでは、２色に分版する２色分版装置が搭載された印刷装置（２色印刷装置）を例に挙げて説明する。なお、以下の説明において、図２における紙面の上下左右を上下左右方向とする。
【００１６】
図１、図２に示すように、本発明の第１実施形態に係る印刷装置１は、製版部２と、給紙部３と、第１印刷部４と、中間搬送部５と、反転部６と、第２印刷部７と、排紙部８と、第１インク情報取得部９と、第２インク情報取得部１０と、画像読取部１１と、操作パネル部１２と、記憶部１３と、制御部１４とを備える。
【００１７】
製版部２は、印刷対象の画像データに基づき孔版原紙（図示せず）にサーマルヘッド（図示せず）で穿孔を行うことにより製版する。製版部２は、孔版原紙を後述する第１印刷ドラム２６に供給する第１原紙供給位置（図１の実線位置）と、孔版原紙を後述する第２印刷ドラム４１に供給する第２原紙供給位置（図１の仮想線位置）との間で移動可能に構成されている。
【００１８】
給紙部３は、印刷媒体である用紙Ｐを第１印刷部４に給紙する。給紙部３は、給紙台２１と、１次給紙ローラ２２と、２次給紙ローラ２３とを備える。
【００１９】
給紙台２１は、印刷に用いられる用紙Ｐが積載されるものである。
【００２０】
１次給紙ローラ２２は、給紙台２１上に積載された用紙Ｐを１枚ずつ取り出して２次給紙ローラ２３へ送り出す。
【００２１】
２次給紙ローラ２３は、１次給紙ローラ２２から搬送されてきた用紙Ｐを後述する第１印刷ドラム２６と第１プレスローラ２７との間へ送り出す。
【００２２】
第１印刷部４は、用紙Ｐを搬送しつつ、用紙Ｐに画像を印刷する。第１印刷部４は、第１印刷ドラム２６と、第１プレスローラ２７とを備える。
【００２３】
第１印刷ドラム２６は、用紙Ｐにインクを転写して印刷する。第１印刷ドラム２６は、図１における反時計回り方向に回転可能に構成されている。第１印刷ドラム２６は、円筒形状を有し、多孔構造によるインク透過性の部材で周壁が構成されている。第１印刷ドラム２６の外周面には、製版された孔版原紙が巻装される。第１印刷ドラム２６は、その内部に配置されたインクボトル（図示せず）を有し、第１印刷ドラム２６の内周面にインクボトルからインクが供給される。第１印刷ドラム２６が回転して第１プレスローラ２７との間で用紙Ｐを搬送しつつ、インクが第１印刷ドラム２６の周壁および孔版原紙の穿孔部分を通過して用紙Ｐに転写されることで印刷が行われる。
【００２４】
第１印刷ドラム２６は、着脱可能に構成されている。第１印刷ドラム２６として使用する印刷ドラムを変更することで、第１印刷部４で印刷に使用するインク色を変更可能である。ここでは、第１印刷色として黒のインクの印刷ドラムが装着されているとする。
【００２５】
第１印刷ドラム２６には、第１インク情報記憶部２８が設けられている。第１インク情報記憶部２８は、第１印刷ドラム２６に対応するインク情報を記憶している。第１インク情報記憶部２８が記憶しているインク情報は、第１印刷ドラム２６で印刷に使用するインク色に対応するインクＩＤと、当該インク色の色情報とを含む。色情報は、例えば、ＲＧＢ値である。第１インク情報記憶部２８は、例えば、インクボトルに取り付けられたデータタグからなる。
【００２６】
中間搬送部５は、２色印刷時および片面単色印刷時において、第１印刷部４で印刷された用紙Ｐを第２印刷部７側へ搬送する。中間搬送部５は、フリッパ３１と、中間ベルト搬送部３２とを備える。
【００２７】
フリッパ３１は、第１印刷部４で印刷された用紙Ｐの搬送経路を、中間ベルト搬送部３２へ導く経路と、後述する反転部６の貯留部３７へ導く経路との間で切り替える。フリッパ３１は、用紙Ｐを中間ベルト搬送部３２へ導く場合、図１において実線で示す片面印刷方向に設定される。また、用紙Ｐを貯留部３７へ導く場合、フリッパ３１は、図１において仮想線で示す両面印刷方向に設定される。
【００２８】
中間ベルト搬送部３２は、片面印刷方向に設定されたフリッパ３１により誘導されつつ第１印刷部４から搬送されてきた用紙Ｐを第２印刷部７側へ搬送する。
【００２９】
反転部６は、両面印刷時において、第１印刷部４で一方の面に印刷された用紙Ｐを上下反転させて第２印刷部７へ搬送する。反転部６は、湾曲搬送部３６と、貯留部３７と、３次給紙ローラ３８と、４次給紙ローラ３９とを備える。
【００３０】
湾曲搬送部３６は、両面印刷時に第１印刷部４で片面に印刷された用紙Ｐを、下方の貯留部３７へ搬送する。
【００３１】
貯留部３７は、湾曲搬送部３６から搬送されてきた用紙Ｐを一時的にストックした後、３次給紙ローラ３８へ送り出す。
【００３２】
３次給紙ローラ３８は、貯留部３７から送り出された用紙Ｐを受け取り、４次給紙ローラ３９へ向けて搬送する。
【００３３】
４次給紙ローラ３９は、３次給紙ローラ３８から搬送されてきた用紙Ｐを後述する第２印刷ドラム４１と第２プレスローラ４２との間へ送り出す。
【００３４】
第２印刷部７は、２色印刷時において、用紙Ｐを搬送しつつ、用紙Ｐの第１印刷部４で印刷された面と同じ面に画像を印刷する。また、第２印刷部７は、両面印刷時において、用紙Ｐを搬送しつつ、用紙Ｐの第１印刷部４で印刷された面とは逆の面に画像を印刷する。第２印刷部７は、第２印刷ドラム４１と、第２プレスローラ４２とを備える。
【００３５】
第２印刷ドラム４１は、第１印刷ドラム２６と同様に、円筒形状を有し、多孔構造によるインク透過性の部材で周壁が構成されている。第２印刷ドラム４１の外周面には、製版された孔版原紙が巻装される。第２印刷ドラム４１の内部には、第１印刷ドラム２６と同様に、インクボトル（図示せず）が配置されている。第２印刷ドラム４１が回転して第２プレスローラ４２との間で用紙Ｐを搬送しつつ、インクが第２印刷ドラム４１の周壁および孔版原紙の穿孔部分を通過して用紙Ｐに転写されることで印刷が行われる。
【００３６】
第２印刷ドラム４１は、第１印刷ドラム２６と同様に、着脱可能に構成されている。第２印刷ドラム４１として使用する印刷ドラムを変更することで、第２印刷部７で印刷に使用するインク色を変更可能である。ここでは、第２印刷色としてＲ（赤）のインクの印刷ドラムが装着されているとする。
【００３７】
第２印刷ドラム４１には、第２インク情報記憶部４３が設けられている。第２インク情報記憶部４３は、第２印刷ドラム４１に対応するインク情報を記憶している。第２インク情報記憶部４３が記憶しているインク情報は、第２印刷ドラム４１で印刷に使用するインク色に対応するインクＩＤと、当該インク色の色情報とを含む。第２インク情報記憶部４３は、第１インク情報記憶部２８と同様に、例えば、インクボトルに取り付けられたデータタグからなる。
【００３８】
排紙部８は、印刷された用紙Ｐを排紙する。排紙部８は、排紙用ベルト搬送部４６と、排紙台４７とを備える。
【００３９】
排紙用ベルト搬送部４６は、印刷された用紙Ｐを排紙台４７へ搬送する。排紙台４７は、排紙された印刷済みの用紙Ｐが積載されるものである。
【００４０】
第１インク情報取得部９は、第１インク情報記憶部２８から第１印刷ドラム２６に対応するインク情報を取得する。
【００４１】
第２インク情報取得部１０は、第２インク情報記憶部４３から第２印刷ドラム４１に対応するインク情報を取得する。
【００４２】
画像読取部１１は、原稿の画像を読み取り、画像データを生成する。原稿には、原稿の何色の画像を何色のインクで印刷するかを設定するための色設定原稿と、実際にユーザが印刷したい原稿である本原稿とがある。色設定原稿が読み取られて色設定原稿画像データが生成され、本原稿が読み取られて本原稿画像データが生成される。この色設定原稿か本原稿かの認識は設定による。例えば、自動的に１ページ目の原稿を色設定原稿とし、２ページ目の原稿を本原稿として認識するようにしてもよいし、ユーザ操作に基づいて色設定原稿と本原稿とを設定するようにしてもよい。
【００４３】
操作パネル部１２は、各種の入力画面等を表示するとともに、ユーザによる入力操作を受け付ける。操作パネル部１２は、表示部５１と、入力部５２とを備える。
【００４４】
表示部５１は、液晶表示パネル等を有し、例えばプレビュー画像を表示する。
【００４５】
入力部５２は、ユーザによる入力操作を受け付け、操作に応じた操作信号を出力する。入力部５２は、各種の操作キー、タッチパネル等を有する。
【００４６】
記憶部１３は、各種のプログラムを記憶している。記憶部１３は、ＨＤＤ（Hard Disk Drive）等からなり、その機能上、基準色情報記憶部５７を有する。
【００４７】
基準色情報記憶部５７は、基準色情報を記憶する。基準色情報は、色設定原稿画像データにおけるＲＧＢ（色成分）ごとの画素値の合計が高い順にＲ（赤）、Ｇ（緑）、Ｂ（青）が並べられた情報である。
【００４８】
制御部１４は、印刷装置１における制御的な処理を行う。制御部１４は、ＣＰＵ、ＲＡＭ、ＲＯＭ等を備えて構成される。制御部１４は、読取制御部６１と、基準色決定部６２と、色検出部６３と、判定部６４と、分版部６５と、印刷制御部６６とを備える。制御部１４の各部は、ＣＰＵが記憶部１３に格納されたプログラムにしたがって動作すること等により構成される。なお、色検出部６３と、判定部６４とは、第２実施形態で用いられる。
【００４９】
読取制御部６１は、画像読取部１１の動作を制御する。
【００５０】
基準色決定部６２は、画像読取部１１により色設定原稿が読み込まれることにより生成された色設定原稿画像データのＲＧＢごとの画素値に基づいて基準色を決定する。
【００５１】
具体的には、基準色決定部６２は、色設定原稿画像データの画素値（ＲＧＢ値）が高い順にＲ（赤）、Ｇ（緑）、Ｂ（青）を並び替え、この並び替えた情報を基準色情報として基準色情報記憶部５７に記憶させる。ＲＧＢ値は、色設定原稿画像データの画素ごとに（Ｒ，Ｇ，Ｂ）＝（ＸＸＸ，ＹＹＹ，ＺＺＺ）というように値が与えられている。基準色決定部６２は、色設定原稿画像データの画素値をＲＧＢごとに全て加算し、加算した画素値が高い順にＲ（赤）、Ｇ（緑）、Ｂ（青）を並び替える。そして、基準色決定部６２は、Ｒ（赤）、Ｇ（緑）、Ｂ（青）の順位に基づいて基準色を決定する。
【００５２】
色検出部６３は、第１印刷色および第２印刷色を検出する。具体的には、第１インク情報取得部９が、第１インク情報記憶部２８から第１印刷ドラム２６に対応するインク情報を取得し、第２インク情報取得部１０が、第２インク情報記憶部４３から第２印刷ドラム４１に対応するインク情報を取得する。そして、色検出部６３は、第１インク情報取得部９により取得されたインク情報から第１印刷色を検出し、第２インク情報取得部１０により取得されたインク情報から第２印刷色を検出する。
【００５３】
判定部６４は、基準色決定部６２により決定された基準色が色検出部６３により検出された第１印刷色または第２印刷色に含まれるか否かを判定する。
【００５４】
分版部６５は、画像読取部１１により本原稿が読み込まれることにより生成された本原稿画像データを、基準色決定部６２により決定された基準色とその他の色とに色分版する。
【００５５】
ここで、色分版は、印刷対象の本原稿画像データを色に基づき２色に分版する分版方法である。本実施の形態では、色分版には、基準となる色（基準色）が異なる複数の分版方法が含まれる。具体的には、色分版における各分版方法として、基準色がＲ（赤）である赤色分版、基準色がＧ（緑）である緑色分版、基準色がＢ（青）である青色分版がある。
【００５６】
赤色分版は、本原稿画像データを赤系色の部分とその他の色の部分とに分版する分版方法である。青色分版は、本原稿画像データを青系色の部分とその他の色の部分とに分版する分版方法である。緑色分版は、本原稿画像データを緑系色の部分とその他の色の部分とに分版する分版方法である。
【００５７】
例えば、基準色決定部６２により決定された基準色が、Ｒ（赤）である場合、分版部６５は、本原稿画像データを、赤系色の部分とその他の色の部分とに分版（赤色分版）して、分版画像データを生成する。
【００５８】
印刷制御部６６は、製版部２、給紙部３、第１印刷部４、中間搬送部５、反転部６、第２印刷部７、および排紙部８による用紙Ｐの搬送および印刷の動作を制御する。そして、印刷制御部６６は、分版部６５により生成された分版画像データに基づいて、基準色を第１印刷色として第１印刷部４で印刷させると共に、基準色以外の色を第２印刷色として第２印刷部７で印刷させる。
【００５９】
図３（ａ）は、本発明の第１実施形態に係る印刷装置１における本原稿画像の一例を示した図であり、図３（ｂ）〜（ｃ）は、色設定原稿画像と印刷画像との関係の例を示した図である。なお、ここでは、基準色決定部６２は、ＲＧＢのうち画素値が最も高い色を基準色とした例について説明する。
【００６０】
図３（ａ）に示すように、本原稿画像ＧＤ１は、画像Ｇ０１，画像Ｇ０２，画像Ｇ０３が描かれている。画像Ｇ０１はＢ（青）単色（図では、縦縞模様で表記する）で描かれており、画像Ｇ０２はＲ（赤）単色（図では、横縞模様で表記する）で描かれており，画像Ｇ０３は黒単色（図では、黒ベタで表記する）で描かれているとする。
【００６１】
図３（ｂ）に示すように、色設定原稿画像ＳＤ１は、画像ＳＤ１１，画像ＳＤ１２が描かれている。画像ＳＤ１１はＲ（赤）単色で描かれており、画像ＳＤ１２は黒単色で描かれているとする。
【００６２】
図３（ｂ）に示した色設定原稿画像ＳＤ１では、ＲＧＢのうち最も画素値が高いのは、Ｒ（赤）となり、Ｇ（緑）、Ｂ（青）は「０」となる。そのため、基準色情報には、Ｒ（赤）のみが記憶されることとなる。なお、黒は、Ｒ（赤）、Ｇ（緑）、Ｂ（青）それぞれの画素値が同一の値であり、黒が基準色となることはない。
【００６３】
そこで、分版部６５は、画像読取部１１により本原稿画像ＧＤ１が読み込まれることにより生成された本原稿画像データを、基準色情報に基づいて、基準色であるＲ（赤）とＲ（赤）以外の色とに分版し、分版画像データを生成する。つまり、Ｒ（赤）の分版画像データと、Ｒ（赤）以外の分版画像データとが生成される。
【００６４】
そして、印刷制御部６６は、分版部６５により生成された分版画像データに基づいて、Ｒ（赤）を第１印刷色（黒）として第１印刷部４で印刷させると共に、Ｒ（赤）以外の色を第２印刷色（赤）として第２印刷部７で印刷させる。
【００６５】
これにより、印刷画像ＲＤ１に示すように、本原稿画像ＧＤ１の画像Ｇ０２に対応する画像ＲＤ１２は、第１印刷色（黒）で印刷される。そして、本原稿画像ＧＤ１の画像Ｇ０１，Ｇ０３に対応する画像ＲＤ１１，ＲＤ１３は、第２印刷色（赤）で印刷される。
【００６６】
図３（ｃ）に示した例では、色設定原稿画像ＳＤ２は、画像ＳＤ２１，画像ＳＤ２２が描かれている。画像ＳＤ２１は黒単色で描かれており、画像ＳＤ２２は赤（Ｒ）単色で描かれているとする。
【００６７】
図３（ｃ）に示した色設定原稿画像ＳＤ２では、ＲＧＢのうち最も画素値が高いのは、Ｒ（赤）となり、Ｇ（緑）、Ｂ（青）は「０」となる。基準色情報には、Ｒ（赤）のみが記憶されることになる。
【００６８】
そこで、分版部６５は、画像読取部１１により本原稿画像ＧＤ１が読み込まれることにより生成された本原稿画像データを、基準色情報に基づいて、基準色であるＲ（赤）とＲ（赤）以外の色とに分版し、分版画像データを生成する。つまり、Ｒ（赤）の分版画像データと、Ｒ（赤）以外の分版画像データとが生成される。
【００６９】
そして、印刷制御部６６は、分版部６５により生成された分版画像データに基づいて、Ｒ（赤）を第１印刷色（黒）として第１印刷部４で印刷させると共に、Ｒ（赤）以外の色を第２印刷色（赤）として第２印刷部７で印刷させる。
【００７０】
これにより、印刷画像ＲＤ２は、図３（ｂ）に示したＲＤ１と同様に、本原稿画像ＧＤ１の画像Ｇ０１，Ｇ０３に対応する画像ＲＤ２１，ＲＤ２３は、第１印刷色（黒）で印刷される。そして、本原稿画像ＧＤ１の画像Ｇ０２に対応する画像ＲＤ２２は、第２印刷色（赤）で印刷される。
【００７１】
図４（ａ）〜（ｃ）は、色設定原稿画像と印刷画像との関係の例を示した図である。なお、ここでは、基準色決定部６２は、ＲＧＢのうち画素値が最も高い色を基準色とした例について説明する。
【００７２】
図４（ａ）に示すように、色設定原稿画像ＳＤ３は、画像ＳＤ３１，画像ＳＤ３２が描かれている。画像ＳＤ３１はＢ（青）単色で描かれており、画像ＳＤ３２はＲ（赤）単色で描かれているとする。
【００７３】
図４（ａ）に示した色設定原稿画像ＳＤ３では、ＲＧＢのうち最も画素値が高いのは、Ｂ（青）、次に画素値が高いのはＲ（赤）となり、Ｇ（緑）は「０」となる。基準色情報には、Ｂ（青）、Ｒ（赤）の順位で記憶されることになる。
【００７４】
そこで、分版部６５は、画像読取部１１により本原稿画像ＧＤ１が読み込まれることにより生成された本原稿画像データを、基準色情報に基づいて、基準色であるＢ（青）とＢ（青）以外の色とに分版し、分版画像データを生成する。つまり、Ｂ（青）の分版画像データと、Ｂ（青）以外の分版画像データとが生成される。
【００７５】
そして、印刷制御部６６は、分版部６５により生成された分版画像データに基づいて、Ｂ（青）を第１印刷色（黒）として第１印刷部４で印刷させると共に、Ｂ（青）以外の色を第２印刷色（赤）として第２印刷部７で印刷させる。
【００７６】
これにより、印刷画像ＲＤ３に示すように、本原稿画像ＧＤ１の画像Ｇ０１に対応する画像ＲＤ３１は、第１印刷色（黒）で印刷される。そして、本原稿画像ＧＤ１の画像Ｇ０２，Ｇ０３に対応する画像ＲＤ３２，ＲＤ３３は、第２印刷色（赤）で印刷される。
【００７７】
図４（ｂ）に示すように、色設定原稿画像ＳＤ４は、画像ＳＤ４１，画像ＳＤ４２が描かれている。画像ＳＤ４１はＲ（赤）単色で描かれており、画像ＳＤ４２はＢ（青）単色で描かれているとする。
【００７８】
図４（ｂ）に示した色設定原稿画像ＳＤ４では、ＲＧＢのうち最も画素値が高いのは、Ｒ（赤）、次に画素値が高いのはＢ（青）となり、Ｇ（緑）は「０」となる。基準色情報には、Ｒ（赤）、Ｂ（青）の順位で記憶されることになる。
【００７９】
そこで、分版部６５は、画像読取部１１により本原稿画像ＧＤ１が読み込まれることにより生成された本原稿画像データを、基準色情報に基づいて、基準色であるＲ（赤）とＲ（赤）以外の色とに分版し、分版画像データを生成する。つまり、Ｒ（赤）の分版画像データと、Ｒ（赤）以外の分版画像データとが生成される。
【００８０】
そして、印刷制御部６６は、分版部６５により生成された分版画像データに基づいて、Ｒ（赤）を第１印刷色（黒）として第１印刷部４で印刷させると共に、Ｒ（赤）以外の色を第２印刷色（赤）として第２印刷部７で印刷させる。
【００８１】
これにより、印刷画像ＲＤ４に示すように、本原稿画像ＧＤ１の画像Ｇ０２に対応する画像ＲＤ４２は、第１印刷色（黒）で印刷される。そして、本原稿画像ＧＤ１の画像Ｇ０１，Ｇ０３に対応する画像ＲＤ４１，ＲＤ４３は、第２印刷色（赤）で印刷される。
【００８２】
図４（ａ），（ｂ）に示したように、色設定原稿画像のＲＧＢのうち最も画素値が高い色が異なると基準色が異なる。これにより、分版方法が異なるので、同一の本原稿画像ＧＤ１を分版したとしても印刷画像が異なることとなる。
【００８３】
また、色設定原稿画像に１色しか描画されていない場合でも、もちろん適応できる。
図４（ｃ）に示すように、色設定原稿画像ＳＤ５は、画像ＳＤ５１のみがＢ（青）単色で描かれている。
【００８４】
図４（ｃ）に示した色設定原稿画像ＳＤ５では、ＲＧＢのうち最も画素値が高いのは、当然ながらＢ（青）となり、Ｒ（赤）、Ｇ（緑）は「０」となる。基準色情報には、Ｂ（青）のみが記憶されることになる。
【００８５】
そこで、分版部６５は、画像読取部１１により本原稿画像ＧＤ１が読み込まれることにより生成された本原稿画像データを、基準色情報に基づいて、基準色であるＢ（青）とＢ（青）以外の色とに分版し、分版画像データを生成する。
【００８６】
そして、印刷制御部６６は、分版部６５により生成された分版画像データに基づいて、Ｂ（青）を第１印刷色（黒）として第１印刷部４で印刷させると共に、Ｂ（青）以外の色を第２印刷色（赤）として第２印刷部７で印刷させる。
【００８７】
これにより、印刷画像ＲＤ５に示すように、本原稿画像ＧＤ１の画像Ｇ０１に対応する画像ＲＤ５１は、第１印刷色（黒）で印刷される。そして、本原稿画像ＧＤ１の画像Ｇ０２，Ｇ０３に対応する画像ＲＤ５２，ＲＤ５３は、第２印刷色（赤）で印刷される。
【００８８】
次に、本発明の第１実施形態に係る印刷装置１における作用について説明する。
【００８９】
図５は、印刷装置１の処理内容を示したフローチャートである。
【００９０】
まず、読取制御部６１の制御により画像読取部１１が、１枚目の原稿として、色設定原稿をスキャンすると（ステップＳ１０１）、基準色決定部６２は、色情報を集計する（ステップＳ１０３）。具体的には、スキャンにより生成された色設定原稿画像データのＲ（赤）、Ｇ（緑）、Ｂ（青）ごとにそれぞれの画素値を加算する。
【００９１】
そして、基準色決定部６２は、色設定原稿画像データの画素値が高い順にＲ（赤）、Ｇ（緑）、Ｂ（青）を並び替え、画素値が最も高い色を第１基準色、２番目に高い色を第２基準色、３番目に高い色を第３基準色とする（ステップＳ１０５）。この第１基準色、第２基準色、および第３基準色を候補基準色という。候補基準色は、３色とは限らず、第１基準色のみの場合もあるし、第１基準色および第２基準色からなる場合もある。この候補基準色を並び替えた情報を基準色情報として基準色情報記憶部に記憶させる。
【００９２】
そして、基準色決定部６２は、候補基準色のうち、まずは第１基準色を基準色とする（ステップＳ１０７）。
【００９３】
読取制御部６１の制御により画像読取部１１が、２枚目の原稿として、本原稿をスキャンすると（ステップＳ１０９）、分版部６５は、本原稿画像データを基準色に基づいて分版して印刷した場合におけるプレビュー画像を生成し、生成したプレビュー画像を操作パネル部１２の表示部５１に表示させる（ステップＳ１１１）。
【００９４】
ユーザが、操作パネル部１２の入力部５２から、「ＯＫ」を入力すると（ステップＳ１１３；ＹＥＳ）、基準色が確定するので、分版部６５は、本原稿画像データを基準色に基づいて分版する（ステップＳ１１５）。
【００９５】
その一方、ユーザが、操作パネル部１２の入力部５２から、「ＮＧ」を入力すると（ステップＳ１１３；ＮＯ）、基準色決定部６２は、基準色情報に基づいて、候補基準色の中から第１基準色、第２基準色、第３基準色・・・の優先順位で、次の候補基準色があるか否かを判定する（ステップＳ１１７）。
【００９６】
次の候補基準色がない場合（ステップＳ１１７；ＮＯ）、ユーザにとって好ましい色分版ができないと推測できるので処理を中止する（ステップＳ１１９）。
【００９７】
その一方、次の候補基準色がある場合（ステップＳ１１７；ＹＥＳ）、基準色を候補基準色に変更し（ステップＳ１２１）、処理をステップＳ１１１へ移行させる。
【００９８】
これにより、ユーザが、表示部５１に表示されたプレビュー画像を見て、印刷の仕上がり具合に満足したら、そのまま分版することができる一方、印刷の仕上がり具合に満足しない場合には、基準色を変更して分版することができる。そのため、ユーザ所望の色分版を行うことができる。
【００９９】
なお、本実施形態では、ユーザの入力に基づいて、候補基準色（第１基準色、第２基準色、第３基準色・・・）の中から基準色が選択されたが、ユーザの入力にかかわらず、ＲＧＢのうち画素値が最も高い色を基準色として決定するようにしても良い。
【０１００】
＜第２実施形態＞
本発明の第２実施形態では、第１実施形態の機能に加え、さらに、基準色が第１印刷色または第２印刷色に含まれるか否かを判定する。
【０１０１】
図６は、本発明の第２実施形態に係る印刷装置１の処理内容を示したフローチャートである。なお、図６に示したステップのうち、図５に示した同一のステップ番号が付されたステップについては、同一の処理内容であるので説明を省略する。また、本発明の第２実施形態に係る印刷装置１の構成については、図１，図２に示した構成と同一であるので、説明を省略する。
【０１０２】
読み取り開始が要求されると、色検出部６３は、印刷可能色（Ｒ，Ｇ，Ｂ）として、第１印刷色および第２印刷色を検出する（ステップＳ２０１）。具体的には、第１インク情報取得部９が、第１インク情報記憶部２８から第１印刷ドラム２６に対応するインク情報を取得し、第２インク情報取得部１０が、第２インク情報記憶部４３から第２印刷ドラム４１に対応するインク情報を取得する。そして、色検出部６３は、第１インク情報取得部９により取得されたインク情報から第１印刷色を検出し、第２インク情報取得部１０により取得されたインク情報から第２印刷色を検出する。
【０１０３】
ステップＳ２０３では、判定部６４が、基準色決定部６２により決定された候補基準色のいずれかが、色検出部６３により検出された印刷可能色（第１印刷色，第２印刷色）に含まれるか否かを判定する。
【０１０４】
候補基準色のいずれかが印刷可能色（第１印刷色，第２印刷色）に含まれる場合（ステップＳ２０３；ＹＥＳ）、基準色決定部６２は、まず、印刷可能色に含まれる候補基準色の中で優先順位が高い色を基準色とする（ステップＳ２０５）。
【０１０５】
一方、候補基準色のいずれも印刷可能色（第１印刷色，第２印刷色）に含まれない場合（ステップＳ２０３；ＮＯ）、分版部６５が、操作パネル部１２の表示部５１で分版するか否かをユーザに問い合わせる（ステップＳ２０５）。
【０１０６】
ユーザが分版することを選択した場合（ステップＳ２０５；ＹＥＳ）、基準色決定部６２は、まず、第１基準色を基準色とする（ステップＳ２０７）。
【０１０７】
一方、ユーザが分版しないことを選択した場合（ステップＳ２０５；ＮＯ）、第１印刷ドラム２６または第２印刷ドラム４１を他のインクに対応する印刷ドラムに入れ替えて印刷する可能性があるので、全ての処理を中止する（ステップＳ１１９）。
【０１０８】
なお、本発明の第１実施形態および本発明の第２実施形態では、基準色決定部６２が、画像読取部１１により色設定原稿が読み込まれることにより生成された色設定原稿画像データのＲＧＢごとの画素値に基づいて基準色をＲ、Ｇ、Ｂのいずれかに決定したが、これに限らない。Ｒ、Ｇ、Ｂのいずれかに限らず、これらの組み合わせの色も含めて、原稿の色のうち、一番面積を多く使っている色を基準色とするようにしてもよい。
【０１０９】
（付記）
本出願は、以下の発明を開示する。
【０１１０】
（付記１）
入力された原稿から原稿画像データを生成する画像生成部と、
色設定原稿が入力されることにより生成された色設定原稿画像データに基づいて基準色を決定する基準色決定手段と、
本原稿が入力されることにより生成された本原稿画像データを前記基準色決定手段により決定された基準色とその他の色とに分版して分版画像データを生成する分版手段と、
を備えたことを特徴とする２色分版装置。
【０１１１】
これにより、ユーザは、どの色を基準に分版するかを指定する必要なく、色設定原稿画像データに基づいて自動的に基準色を割り当てることができる。そのため、２色分版の際のユーザの操作負担を軽減することができる。
【０１１２】
（付記２）
前記基準色決定手段は、
前記色設定原稿画像データにおける色成分毎の画素値の合計が高い順に前記色成分を並び替え、
本原稿が入力されることにより生成された本原稿画像データを、前記並び替えられた順位に基づいて前記色成分のいずれかを前記基準色として分版して印刷した場合におけるプレビュー画像を生成して表示手段に表示させ、前記プレビュー画像に対する入力指示に基づいて前記基準色を決定する
ことを特徴とする（付記１）記載の２色分版装置。
【０１１３】
これにより、ユーザは、印刷の仕上がり状態を想像しながら色指定を行うのではなく、印刷の仕上がり状態を表したプレビュー画像を確認しながら、入力操作を行うことにより基準色を決定することができるので、２色分版の際のユーザの操作負担を軽減することができる。
【０１１４】
（付記３）
第１印刷色で印刷する第１印刷部と、
第２印刷色で印刷する第２印刷部と、
原稿を読み込み、原稿画像データを生成する画像読取部と、
前記画像読取部により色設定原稿が読み込まれることにより生成された色設定原稿画像データに基づいて基準色を決定する基準色決定手段と、
前記画像読取部により本原稿が読み込まれることにより生成された本原稿画像データを前記基準色決定手段により決定された基準色とその他の色とに分版して分版画像データを生成する分版手段と、
前記分版手段により生成された分版画像データに基づいて、前記基準色を前記第１印刷色として前記第１印刷部で印刷させると共に、前記基準色以外の色を前記第２印刷色として前記第２印刷部で印刷させる印刷制御手段と、
を備えたことを特徴とする２色印刷装置。
【０１１５】
これにより、ユーザは、どの色を基準に分版するかを指定する必要なく、色設定原稿画像データに基づいて自動的に基準色を割り当てることができる。そのため、２色分版の際のユーザの操作負担を軽減することができる。
【０１１６】
（付記４）
前記第１印刷色および前記第２印刷色を検出する色検出手段と、
前記基準色決定手段により決定された基準色が前記色検出手段により検出された前記第１印刷色または前記第２印刷色に含まれるか否かを判定する判定手段と、を備え、
前記分版手段は、
前記判定手段により前記第１印刷色または前記第２印刷色に含まれると判定された場合に、前記本原稿画像データを前記基準色とその他の色とに分版して分版画像データを生成する
ことを特徴とする（付記３）記載の２色印刷装置。
【０１１７】
これにより、基準色が実際に印刷で用いられる第１印刷色または第２印刷色に含まれる場合のみ印刷されるので、ユーザ所望の仕上がり状態と乖離することなく印刷することができる。
【符号の説明】
【０１１８】
１  印刷装置
２  製版部
３  給紙部
４  第１印刷部
５  中間搬送部
６  反転部
７  第２印刷部
８  排紙部
９  第１インク情報取得部
１０  第２インク情報取得部
１１  画像読取部
１２  操作パネル部
１３  記憶部
１４  制御部
２６  第１印刷ドラム
２８  第１インク情報記憶部
４１  第２印刷ドラム
４３  第２インク情報記憶部
５１  表示部
５２  入力部
５７  基準色情報記憶部
６１  読取制御部
６２  基準色決定部
６３  色検出部
６４  判定部
６５  分版部
６６  印刷制御部
【図１】
2019214156.tif 000003
【図２】
2019214156.tif 000004
【図３】
2019214156.tif 000005
【図４】
2019214156.tif 000006
【図５】
2019214156.tif 000007
【図６】
2019214156.tif 000008